(57)【要約】  本発明は、時間領域リソースの決定方法、装置及びコンピュータ記憶媒体を開示し、前記方法は、端末がネットワークデバイスにより送信された第１の指示情報を受信することと、前記端末が前記第１の指示情報にに基づいて利用される時間領域リソース決定規則を決定し、利用される時間領域リソース決定規則に基づいて前記第１のチャネルを伝送するための少なくとも１つのスロットを決定することと、前記端末が決定された前記少なくとも１つのスロットにおいてネットワークデバイスと前記第１のチャネルを伝送することとを含み、前記第１の指示情報は、第１の時間領域リソース決定規則又は第２の時間領域リソース決定規則を利用して第１のスロットが第１のスケジューリング情報によってスケジューリングされる第１のチャネルの伝送に使用されるかどうかを決定するように指示する。
2021515998.tif 000002
【特許請求の範囲】
【請求項１】
端末がネットワークデバイスにより送信された第１の指示情報を受信することと、
前記端末が前記第１の指示情報に基づいて利用される時間領域リソース決定規則を決定し、利用される時間領域リソース決定規則に基づいて第１のチャネルを伝送するための少なくとも１つのスロットを決定することと、
前記端末が決定された前記少なくとも１つのスロットにおいてネットワークデバイスと前記第１のチャネルを伝送することとを含み、
前記第１の指示情報は、第１の時間領域リソース決定規則又は第２の時間領域リソース決定規則を利用して第１のスロットが第１のスケジューリング情報によってスケジューリングされる前記第１のチャネルの伝送に使用されるかどうかを決定するように指示する
ことを特徴とする時間領域リソースの決定方法。
【請求項２】
前記第１のスケジューリング情報が少なくとも１つのスロットにおいてＮ個のシンボルを第１の伝送方向にスケジューリングし、Ｎが正の整数である場合、
前記第１の時間領域リソース決定規則として、前記第１のスロット内の前記Ｎ個のシンボルの伝送方向が全て前記第１の伝送方向に設定された場合、前記端末が前記第１のスロットが前記第１のチャネルの伝送に利用されることができると決定し、
前記第２の時間領域リソース決定規則として、前記第１のスロット内の前記Ｎ個のシンボルが全て前記第１の伝送方向及び／又は柔軟な伝送方向に設定された場合、前記端末が前記第１のスロットが前記第１のチャネルの伝送に利用されることができると決定する
ことを特徴とする請求項１に記載の時間領域リソースの決定方法。
【請求項３】
前記第１の伝送方向は、上り伝送方向又は下り伝送方向である
ことを特徴とする請求項２に記載の時間領域リソースの決定方法。
【請求項４】
前記方法は、さらに、
前記端末が第１の構成情報を取得することと、
前記端末が前記第１の構成情報に基づいて、前記第１のスロット内の前記Ｎ個のシンボルの伝送方向を決定することとを含み、
前記第１の構成情報は、前記第１のスロットを含む少なくとも１つのスロットの各シンボルに対して伝送方向の設定を行うために用いられる
ことを特徴とする請求項２又は３に記載の時間領域リソースの決定方法。
【請求項５】
前記端末が第１の構成情報を取得することは、
前記端末が予め設定された情報に基づいて前記第１の構成情報を取得すること、及び／又は、
前記端末が前記ネットワークデバイスにより送信されたシステム情報ＳＩから前記第１の構成情報を取得すること、及び／又は、
前記端末が前記ネットワークデバイスにより送信された無線リソース制御ＲＲＣシグナリングから前記第１の構成情報を取得すること、及び／又は、
前記端末が前記ネットワークデバイスにより送信された下り制御情報ＤＣＩから前記第１の構成情報を取得することを含む
ことを特徴とする請求項４に記載の時間領域リソースの決定方法。
【請求項６】
前記端末がネットワークデバイスにより送信された第１の指示情報を受信することは、
前記端末が前記ネットワークデバイスにより送信されたＳＩを受信し、前記ＳＩが前記第１の指示情報を含むこと、又は、
前記端末が前記ネットワークデバイスにより送信されたＲＲＣシグナリングを受信し、前記ＲＲＣが前記第１の指示情報を含むこと、又は、
前記端末が前記ネットワークデバイスにより送信されたＤＣＩを受信し、前記ＤＣＩが前記第１の指示情報を含むこと、又は、
前記端末が前記ネットワークデバイスにより送信されたメディアアクセス制御ユニットＭＡＣ  ＣＥを受信し、前記ＭＡＣ  ＣＥが前記第１の指示情報を含むことを含む
ことを特徴とする請求項１〜５のいずれか１項に記載の時間領域リソースの決定方法。
【請求項７】
前記第１のスケジューリング情報は、ＤＣＩ又はＲＲＣシグナリングに搬送される
ことを特徴とする請求項１〜６のいずれか１項に記載の時間領域リソースの決定方法。
【請求項８】
ネットワークデバイスが端末に第１の指示情報を送信することと、
前記ネットワークデバイスが前記第１の指示情報に対応する第１のスケジューリング情報によってスケジューリングされる少なくとも１つのスロットにおいて前記端末と第１のチャネルを伝送することとを含み、
前記第１の指示情報は、第１の時間領域リソース決定規則又は第２の時間領域リソース決定規則を利用して第１のスロットが前記第１のスケジューリング情報によってスケジューリングされる前記第１のチャネルの伝送に使用されるかどうかを決定する
ことを特徴とする時間領域リソースの決定方法。
【請求項９】
前記第１のスケジューリング情報が少なくとも１つのスロットにおいてＮ個のシンボルを第１の伝送方向にスケジューリングし、Ｎが正の整数である場合、
前記第１の時間領域リソース決定規則として、前記第１のスロット内の前記Ｎ個のシンボルの伝送方向が全て前記第１の伝送方向に設定された場合、前記端末が前記第１のスロットが前記第１のチャネルの伝送に利用されることができると決定し、
前記第２の時間領域リソース決定規則として、前記第１のスロット内の前記Ｎ個のシンボルが全て前記第１の伝送方向及び／又は柔軟な伝送方向に設定された場合、前記端末が前記第１のスロットが前記第１のチャネルの伝送に利用されることができると決定する
ことを特徴とする請求項８に記載の時間領域リソースの決定方法。
【請求項１０】
前記第１の伝送方向は、上り伝送方向又は下り伝送方向である
ことを特徴とする請求項９に記載の時間領域リソースの決定方法。
【請求項１１】
前記方法は、さらに、
前記ネットワークデバイスが前記端末に第１の構成情報を送信することを含み、前記第１の構成情報は、前記第１のスロットを含む少なくとも１つのスロットの各シンボルに対して伝送方向の設定を行うために用いられる
ことを特徴とする請求項９又は１０に記載の時間領域リソースの決定方法。
【請求項１２】
前記ネットワークデバイスが前記端末に第１の構成情報を送信することは、
前記ネットワークデバイスが前記端末にＳＩを送信し、前記ＳＩが前記第１の構成情報を含むこと、及び／又は、
前記ネットワークデバイスが前記端末にＲＲＣを送信し、前記ＲＲＣが前記第１の構成情報を含むこと、及び／又は、
前記ネットワークデバイスが前記端末にＤＣＩを送信し、前記ＤＣＩが前記第１の構成情報を含むことを含む
ことを特徴とする請求項１１に記載の時間領域リソースの決定方法。
【請求項１３】
前記ネットワークデバイスが端末に第１の指示情報を送信することは、
前記ネットワークデバイスが前記端末にＳＩを送信し、前記ＳＩが前記第１の指示情報を含むこと、又は、
前記ネットワークデバイスが前記端末にＲＲＣシグナリングを送信し、前記ＲＲＣが前記第１の指示情報を含むこと、又は、
前記ネットワークデバイスが前記端末にＤＣＩを送信し、前記ＤＣＩが前記第１の指示情報を含むこと、又は、
前記ネットワークデバイスが前記端末にＭＡＣ  ＣＥを送信し、前記ＭＡＣ  ＣＥが前記第１の指示情報を含むことを含む
ことを特徴とする請求項８〜１２のいずれか１項に記載の時間領域リソースの決定方法。
【請求項１４】
前記第１のスケジューリング情報は、ＤＣＩ又はＲＲＣシグナリングに搬送される
ことを特徴とする請求項８〜１３のいずれか１項に記載の時間領域リソースの決定方法。
【請求項１５】
受信ユニットと、第１の決定ユニットと、第２の決定ユニットと、伝送ユニットと、を備える時間領域リソースの決定装置であって、
前記受信ユニットは、ネットワークデバイスにより送信された第１の指示情報を受信するように構成され、前記第１の指示情報は、第１の時間領域リソース決定規則又は第２の時間領域リソース決定規則を利用して第１のスロットが第１のスケジューリング情報によってスケジューリングされる第１のチャネルの伝送に使用されるかどうかを決定するように指示し、
前記第１の決定ユニットは、前記第１の指示情報に基づいて利用される時間領域リソース決定規則を決定するように構成され、
前記第２の決定ユニットは、利用される時間領域決定規則リソースに基づいて、前記第１のチャネルを伝送するための少なくとも１つのスロットを決定するように構成され、
前記伝送ユニットは、決定された前記少なくとも１つのスロットにおいてネットワークデバイスと前記第１のチャネルを伝送するように構成される
ことを特徴とする時間領域リソースの決定装置。
【請求項１６】
前記第１のスケジューリング情報が少なくとも１つのスロットにおいてＮ個のシンボルを第１の伝送方向にスケジューリングし、Ｎが正の整数である場合、
前記第１の時間領域リソース決定規則として、前記第１のスロット内の前記Ｎ個のシンボルの伝送方向が全て前記第１の伝送方向に設定された場合、前記端末が前記第１のスロットが前記第１のチャネルの伝送に利用されることができると決定し、
前記第２の時間領域リソース決定規則として、前記第１のスロット内の前記Ｎ個のシンボルが全て前記第１の伝送方向及び／又は柔軟な伝送方向に設定された場合、前記端末が前記第１のスロットが前記第１のチャネルの伝送に利用されることができると決定する
ことを特徴とする請求項１５に記載の時間領域リソースの決定装置。
【請求項１７】
前記第１の伝送方向は、上り伝送方向又は下り伝送方向である
ことを特徴とする請求項１６に記載の時間領域リソースの決定装置。
【請求項１８】
前記装置は、さらに、取得ユニット及び第３の決定ユニットを含み、
前記取得ユニットは、第１の構成情報を取得するように構成され、前記第１の構成情報は、前記第１のスロットを含む少なくとも１つのスロットの各シンボルに対して伝送方向の設定を行うために用いられ、
前記第３の決定ユニットは、前記第１の構成情報に基づいて、前記第１のスロット内の前記Ｎ個のシンボルの伝送方向を決定するように構成される
ことを特徴とする請求項１６又は１７に記載の時間領域リソースの決定装置。
【請求項１９】
前記取得ユニットは、予め設定された情報に基づいて前記第１の構成情報を取得し、及び／又は、前記ネットワークデバイスにより送信されたＳＩから前記第１の構成情報を取得し、及び／又は、前記ネットワークデバイスにより送信されたＲＲＣシグナリングから前記第１の構成情報を取得し、及び／又は、前記ネットワークデバイスにより送信されたＤＣＩから前記第１の構成情報を取得するように構成される
ことを特徴とする請求項１８に記載の時間領域リソースの決定装置。
【請求項２０】
前記受信ユニットは、前記ネットワークデバイスにより送信された前記第１の指示情報を含むＳＩを受信し、又は、前記ネットワークデバイスにより送信された前記第１の指示情報を含むＲＲＣシグナリングを受信し、又は、前記ネットワークデバイスにより送信された前記第１の指示情報を含むＤＣＩを受信し、又は、前記ネットワークデバイスにより送信された前記第１の指示情報を含むＭＡＣ  ＣＥを受信するように構成される
ことを特徴とする請求項１５〜１９のいずれか１項に記載の時間領域リソースの決定装置。
【請求項２１】
前記第１のスケジューリング情報は、ＤＣＩ又はＲＲＣシグナリングに搬送される
ことを特徴とする請求項１５〜２０のいずれか１項に記載の時間領域リソースの決定装置。
【請求項２２】
第１の送信ユニットと、伝送ユニットとを備える時間領域リソースの決定装置であって、
前記第１の送信ユニットは、端末に第１の指示情報を送信するように構成され、前記第１の指示情報は、第１の時間領域リソース決定規則又は第２の時間領域リソース決定規則を利用して第１のスロットが第１のスケジューリング情報によってスケジューリングされる第１のチャネルの伝送に使用されるかどうかを決定するように指示し、
前記伝送ユニットは、前記第１の指示情報に対応する前記第１のスケジューリング情報によってスケジューリングされる少なくとも１つのスロットにおいて前記端末と前記第１のチャネルを伝送するように構成さる
ことを特徴とする時間領域リソースの決定装置。
【請求項２３】
前記第１のスケジューリング情報が少なくとも１つのスロットにおいてＮ個のシンボルを第１の伝送方向にスケジューリングし、Ｎが正の整数である場合、
前記第１の時間領域リソース決定規則として、前記第１のスロット内の前記Ｎ個のシンボルの伝送方向が全て前記第１の伝送方向に設定された場合、前記端末が前記第１のスロットが前記第１のチャネルの伝送に利用されることができると決定し、
前記第２の時間領域リソース決定規則として、前記第１のスロット内の前記Ｎ個のシンボルが全て前記第１の伝送方向及び／又は柔軟な伝送方向に設定された場合、前記端末が前記第１のスロットが前記第１のチャネルの伝送に利用されることができると決定する
ことを特徴とする請求項２２に記載の時間領域リソースの決定装置。
【請求項２４】
前記第１の伝送方向は、上り伝送方向又は下り伝送方向である
ことを特徴とする請求項２３に記載の時間領域リソースの決定装置。
【請求項２５】
前記装置は、さらに、第２の送信ユニットを含み、
前記第２の送信ユニットは、前記端末に第１の構成情報を送信するように構成され、
前記第１の構成情報は、前記第１のスロットを含む少なくとも１つのスロットの各シンボルに対して伝送方向の設定を行うために用いられる
ことを特徴とする請求項２３又は２４に記載の時間領域リソースの決定装置。
【請求項２６】
前記第２の送信ユニットは、前記端末に前記第１の構成情報を含むＳＩを送信し、及び／又は、前記端末に前記第１の構成情報を含むＲＲＣを送信し、及び／又は、前記端末に前記第１の構成情報を含むＤＣＩを送信するように構成される
ことを特徴とする請求項２５に記載の時間領域リソースの決定装置。
【請求項２７】
前記第１の送信ユニットは、前記端末に前記第１の指示情報を含むＳＩを送信し、又は、前記端末に前記第１の指示情報を含むＲＲＣシグナリングを送信し、又は、前記端末に前記第１の指示情報を含むＤＣＩを送信し、又は、前記端末に前記第１の指示情報を含むＭＡＣ  ＣＥを送信するように構成される
ことを特徴とする請求項２２〜２６のいずれか１項に記載の時間領域リソースの決定装置。
【請求項２８】
前記第１のスケジューリング情報は、ＤＣＩ又はＲＲＣシグナリングに搬送される
ことを特徴とする請求項２２〜２７のいずれか１項に記載の時間領域リソースの決定装置。
【請求項２９】
プロセッサによって実行されると、請求項１〜７のいずれか１項に記載の方法ステップ、又は請求項８〜１４のいずれか１項に記載の方法ステップを実現するコンピュータ実行可能命令を記憶した
ことを特徴とするコンピュータ記憶媒体。
【発明の詳細な説明】
【技術分野】
【０００１】
本発明は、無線通信技術分野に関し、特に、時間領域リソースの決定方法、装置及びコンピュータ記憶媒体に関する。
【背景技術】
【０００２】
ロングタームエボリューション( ＬＴＥ、Ｌｏｎｇ Ｔｅｒｍ Ｅｖｏｌｕｔｉｏｎ )システムでは、上り下りの構成は、フレーム構造によって静的に決定され、データチャネル(例えば、物理下り共有チャネル( ＰＤＳＣＨ、Ｐｈｙｓｉｃａｌ Ｄｏｗｎｌｉｎｋ Ｓｈａｒｅｄ Ｃｈａｎｎｅｌ )、物理上り共有チャネル( ＰＵＳＣＨ、Ｐｈｙｓｉｃａｌ Ｕｐｌｉｎｋ Ｓｈａｒｅｄ Ｃｈａｎｎｅｌ ) )の時間領域リソース調整は、フレーム構造の上り下りの構成に従う。
【０００３】
第５世代( 5Ｇ，5 ｔｈ Ｇｅｎｅｒａｔｉｏｎ )新しいラジオ( ＮＲ、Ｎｅｗ Ｒａｄｉｏ )システムでは、リソース割当の柔軟性を高め、遅延を低減するために、スロット毎の上り下り構成は、準静的な構成、あるいは動的な構成とすることができる。同時に、５Ｇ ＮＲは、セルエッジのカバレッジを向上させるために、マルチスロット（ｍｕｌｔｉ−ｓｌｏｔ）スケジューリングをサポートし、即ち、基地局が一度に端末のために複数のスロットのリソースをスケジューリングし、時間領域のエネルギー蓄積によって信号のカバレッジを向上させる。
【０００４】
また、５Ｇ ＮＲシステムでは、一部のスロットまたはシンボルは、「未決定」(または、柔軟( flexible )」と呼ばれる)として構成されてよく、それが下りまたは上り伝送のために一時的に決定されなく、リソースがスケジューリングされるとき、要求に応じて、下りまたは上りに再スケジューリングされてよい。
【０００５】
マルチスロットスケジューリングにおいて、制御シグナリングのオーバーヘッドを制限するために、各スロットに同一のシンボルを割り当て、端末は、あるスロットにリソース割り当ての伝送方向と一致するシンボルが十分に含まれているか否かによって、そのスロットがそのマルチスロットスケジューリングの伝送に使用されるか否かを決定する。しかしながら、複数スロットスケジューリングの伝送のために「未決定」シンボル(または柔軟なシンボルと呼ばれる)が使用されるかどうかは、明確な解決策がなく、カバレッジ拡張と大きなユーザ容量とを１つのシステムで両立させることはできない。
【発明の概要】
【０００６】
本発明の実施例は、以上の技術課題を解決するために、時間領域リソースの決定方法、装置及びコンピュータ記憶媒体を提供する。
【０００７】
本発明の実施例における時間領域リソースの決定方法は、
端末がネットワークデバイスにより送信された第１の指示情報を受信することと、
前記端末が前記第１の指示情報にに基づいて利用される時間領域リソース決定規則を決定し、利用される時間領域リソース決定規則に基づいて前記第１のチャネルを伝送するための少なくとも１つのスロットを決定することと、
前記端末が決定された前記少なくとも１つのスロットにおいてネットワークデバイスと前記第１のチャネルを伝送することとを含み、
前記第１の指示情報は、第１の時間領域リソース決定規則又は第２の時間領域リソース決定規則を利用して第１のスロットが第１のスケジューリング情報によってスケジューリングされる第１のチャネルの伝送に使用されるかどうかを決定するように指示する。
【０００８】
本発明の実施例において、前記第１のスケジューリング情報が少なくとも１つのスロットにおいてＮ個のシンボルを第１の伝送方向にスケジューリングし、Ｎが正の整数である場合、
前記第１の時間領域リソース決定規則として、前記第１のスロット内の前記Ｎ個のシンボルの伝送方向が全て前記第１の伝送方向に設定された場合、前記端末が前記第１のスロットが前記第１のチャネルの伝送に利用されることができると決定し、
前記第２の時間領域リソース決定規則として、前記第１のスロット内の前記Ｎ個のシンボルが全て前記第１の伝送方向及び／又は柔軟な伝送方向に設定された場合、前記端末が前記第１のスロットが前記第１のチャネルの伝送に利用されることができると決定する。
【０００９】
本発明の実施例において、前記第１の伝送方向は、上り伝送方向又は下り伝送方向である。
【００１０】
本発明の実施例において、前記方法は、さらに、
前記端末が第１の構成情報を取得することと、
前記端末が前記第１の構成情報に基づいて、前記第１のスロット内の前記Ｎ個のシンボルの伝送方向を決定することとを含み、前記第１の構成情報は、前記第１のスロットを含む少なくとも１つのスロットの各シンボルに対して伝送方向の設定を行うために用いられる。
【００１１】
本発明の実施例において、前記端末が第１の構成情報を取得することは、
前記端末が予め設定された情報に基づいて前記第１の構成情報を取得すること、及び／又は、
前記端末が前記ネットワークデバイスにより送信されたシステム情報（ＳＩ、Ｓｙｓｔｅｍ Ｉｎｆｏｒｍａｔｉｏｎ）から前記第１の構成情報を取得すること、及び／又は、
前記端末が前記ネットワークデバイスにより送信された無線リソース制御（ＲＲＣ、Ｒａｄｉｏ Ｒｅｓｏｕｒｃｅ Ｃｏｎｔｒｏｌ）シグナリングから前記第１の構成情報を取得すること、及び／又は、
前記端末が前記ネットワークデバイスにより送信された下り制御情報（ＤＣＩ、Ｄｏｗｎｌｉｎｋ Ｃｏｎｔｒｏｌ Ｉｎｆｏｒｍａｔｉｏｎ）から前記第１の構成情報を取得することを含む。
【００１２】
本発明の実施例において、前記端末がネットワークデバイスにより送信された第１の指示情報を受信することは、
前記端末が前記ネットワークデバイスにより送信されたＳＩを受信し、前記ＳＩが前記第１の指示情報を含むこと、又は、
前記端末が前記ネットワークデバイスにより送信されたＲＲＣシグナリングを受信し、前記ＲＲＣが前記第１の指示情報を含むこと、又は、
前記端末が前記ネットワークデバイスにより送信されたＤＣＩを受信し、前記ＤＣＩが前記第１の指示情報を含むこと、又は、
前記端末が前記ネットワークデバイスにより送信されたメディアアクセス制御ユニット（ＭＡＣ ＣＥ、Ｍｅｄｉａ Ａｃｃｅｓｓ Ｃｏｎｔｒｏｌ Ｃｏｎｔｒｏｌ Ｅｌｅｍｅｎｔ）を受信し、前記ＭＡＣ ＣＥが前記第１の指示情報を含むことを含む。
【００１３】
本発明の実施例において、前記第１のスケジューリング情報は、ＤＣＩ又はＲＲＣシグナリングに搬送される。
【００１４】
本発明の実施例における時間領域リソースの決定方法は、
ネットワークデバイスが端末に第１の指示情報を送信することと、
前記ネットワークデバイスが前記第１の指示情報に対応する前記第１のスケジューリング情報によってスケジューリングされる少なくとも１つのスロットにおいて前記端末と前記第１のチャネルを伝送することとを含み、
前記第１の指示情報は、第１の時間領域リソース決定規則又は第２の時間領域リソース決定規則を利用して第１のスロットが第１のスケジューリング情報によってスケジューリングされる第１のチャネルの伝送に使用されるかどうかを決定するように指示する。
【００１５】
本発明の実施例において、前記第１のスケジューリング情報が少なくとも１つのスロットにおいてＮ個のシンボルを第１の伝送方向にスケジューリングし、Ｎが正の整数である場合、
前記第１の時間領域リソース決定規則として、前記第１のスロット内の前記Ｎ個のシンボルの伝送方向が全て前記第１の伝送方向に設定された場合、前記端末が前記第１のスロットが前記第１のチャネルの伝送に利用されることができると決定し、
前記第２の時間領域リソース決定規則として、前記第１のスロット内の前記Ｎ個のシンボルが全て前記第１の伝送方向及び／又は柔軟な伝送方向に設定された場合、前記端末が前記第１のスロットが前記第１のチャネルの伝送に利用されることができると決定する。
【００１６】
本発明の実施例において、前記第１の伝送方向は、上り伝送方向又は下り伝送方向である。
【００１７】
本発明の実施例において、前記方法は、さらに、
前記ネットワークデバイスが前記端末に第１の構成情報を送信することを含み、前記第１の構成情報は、前記第１のスロットを含む少なくとも１つのスロットの各シンボルに対して伝送方向の設定を行うために用いられる。
【００１８】
本発明の実施例において、前記ネットワークデバイスが前記端末に第１の構成情報を送信することは、
前記ネットワークデバイスが前記端末にＳＩを送信し、前記ＳＩが前記第１の構成情報を含むこと、及び／又は、
前記ネットワークデバイスが前記端末にＲＲＣを送信し、前記ＲＲＣが前記第１の構成情報を含むこと、及び／又は、
前記ネットワークデバイスが前記端末にＤＣＩを送信し、前記ＤＣＩが前記第１の構成情報を含むことを含む。
【００１９】
本発明の実施例において、前記ネットワークデバイスが端末に第１の指示情報を送信することは、
前記ネットワークデバイスが前記端末にＳＩを送信し、前記ＳＩが前記第１の指示情報を含むこと、又は、
前記ネットワークデバイスが前記端末にＲＲＣシグナリングを送信し、前記ＲＲＣが前記第１の指示情報を含むこと、又は、
前記ネットワークデバイスが前記端末にＤＣＩを送信し、前記ＤＣＩが前記第１の指示情報を含むこと、又は、
前記ネットワークデバイスが前記端末にＭＡＣ ＣＥを送信し、前記ＭＡＣ ＣＥが前記第１の指示情報を含むことを含む。
【００２０】
本発明の実施例において、前記第１のスケジューリング情報は、ＤＣＩ又はＲＲＣシグナリングに搬送される。
【００２１】
本発明の実施例における時間領域リソースの決定装置は、受信ユニットと、第１の決定ユニットと、第２の決定ユニットと、伝送ユニットとを備え、
受信ユニットは、ネットワークデバイスにより送信された第１の指示情報を受信するように構成され、前記第１の指示情報は、第１の時間領域リソース決定規則又は第２の時間領域リソース決定規則を利用して第１のスロットが第１のスケジューリング情報によってスケジューリングされる第１のチャネルの伝送に使用されるかどうかを決定するように指示し、
第１の決定ユニットは、前記第１の指示情報に基づいて利用される時間領域リソース決定規則を決定するように構成され、
第２の決定ユニットは、利用される時間領域決定規則リソースに基づいて、前記第１のチャネルを伝送するための少なくとも１つのスロットを決定するように構成され、
伝送ユニットは、決定された前記少なくとも１つのスロットにおいてネットワークデバイスと前記第１のチャネルを伝送するように構成される。
【００２２】
本発明の実施例において、前記第１のスケジューリング情報が少なくとも１つのスロットにおいてＮ個のシンボルを第１の伝送方向にスケジューリングし、Ｎが正の整数である場合、
前記第１の時間領域リソース決定規則として、前記第１のスロット内の前記Ｎ個のシンボルの伝送方向が全て前記第１の伝送方向に設定された場合、前記端末が前記第１のスロットが前記第１のチャネルの伝送に利用されることができると決定し、
前記第２の時間領域リソース決定規則として、前記第１のスロット内の前記Ｎ個のシンボルが全て前記第１の伝送方向及び／又は柔軟な伝送方向に設定された場合、前記端末が前記第１のスロットが前記第１のチャネルの伝送に利用されることができると決定する。
【００２３】
本発明の実施例において、前記第１の伝送方向は、上り伝送方向又は下り伝送方向である。
【００２４】
本発明の実施例において、前記装置は、さらに、取得ユニット及び第３の決定ユニットを含み、
取得ユニットは、第１の構成情報を取得するように構成され、前記第１の構成情報は、前記第１のスロットを含む少なくとも１つのスロットの各シンボルに対して伝送方向の設定を行うために用いられ、
第３の決定ユニットは、前記第１の構成情報に基づいて、前記第１のスロット内の前記Ｎ個のシンボルの伝送方向を決定するように構成される。
【００２５】
本発明の実施例において、前記取得ユニットは、予め設定された情報に基づいて前記第１の構成情報を取得し、及び／又は、前記ネットワークデバイスにより送信されたＳＩから前記第１の構成情報を取得し、及び／又は、前記ネットワークデバイスにより送信されたＲＲＣシグナリングから前記第１の構成情報を取得し、及び／又は、前記ネットワークデバイスにより送信されたＤＣＩから前記第１の構成情報を取得するように構成される。
【００２６】
本発明の実施例において、前記受信ユニットは、前記ネットワークデバイスにより送信された前記第１の指示情報を含むＳＩを受信し、又は、前記ネットワークデバイスにより送信された前記第１の指示情報を含むＲＲＣシグナリングを受信し、又は、前記ネットワークデバイスにより送信された前記第１の指示情報を含むＤＣＩを受信し、又は、前記ネットワークデバイスにより送信された前記第１の指示情報を含むＭＡＣ ＣＥを受信するように構成される。
【００２７】
本発明の実施例において、前記第１のスケジューリング情報は、ＤＣＩ又はＲＲＣシグナリングに搬送される。
【００２８】
本発明の実施例における時間領域リソースの決定装置は、第１の送信ユニットと、伝送ユニットとを備え、
第１の送信ユニットは、端末に第１の指示情報を送信するように構成され、前記第１の指示情報は、第１の時間領域リソース決定規則又は第２の時間領域リソース決定規則を利用して第１のスロットが第１のスケジューリング情報によってスケジューリングされる第１のチャネルの伝送に使用されるかどうかを決定するように指示し、
伝送ユニットは、前記第１の指示情報に対応する前記第１のスケジューリング情報によってスケジューリングされるされる少なくとも１つのスロットにおいて前記端末と前記第１のチャネルを伝送するように構成さる。
【００２９】
本発明の実施例において、前記第１のスケジューリング情報が少なくとも１つのスロットにおいてＮ個のシンボルを第１の伝送方向にスケジューリングし、Ｎが正の整数である場合、
前記第１の時間領域リソース決定規則として、前記第１のスロット内の前記Ｎ個のシンボルの伝送方向が全て前記第１の伝送方向に設定された場合、前記端末が前記第１のスロットが前記第１のチャネルの伝送に利用されることができると決定し、
前記第２の時間領域リソース決定規則として、前記第１のスロット内の前記Ｎ個のシンボルが全て前記第１の伝送方向及び／又は柔軟な伝送方向に設定された場合、前記端末が前記第１のスロットが前記第１のチャネルの伝送に利用されることができると決定する。
【００３０】
本発明の実施例において、前記第１の伝送方向は、上り伝送方向又は下り伝送方向である。
【００３１】
本発明の実施例において、前記装置は、さらに、第２の送信ユニットを含み、
第２の送信ユニットは、前記端末に第１の構成情報を送信するように構成され、前記第１の構成情報は、前記第１のスロットを含む少なくとも１つのスロットの各シンボルに対して伝送方向の設定を行うために用いられる。
【００３２】
本発明の実施例において、前記第２の送信ユニットは、前記端末に前記第１の構成情報を含むＳＩを送信し、及び／又は、前記端末に前記第１の構成情報を含むＲＲＣを送信し、及び／又は、前記端末に前記第１の構成情報を含むＤＣＩを送信するように構成される。
【００３３】
本発明の実施例において、前記第１の送信ユニットは、前記端末に前記第１の指示情報を含むＳＩを送信し、又は、前記端末に前記第１の指示情報を含むＲＲＣシグナリングを送信し、又は、前記端末に前記第１の指示情報を含むＤＣＩを送信し、又は、前記端末に前記第１の指示情報を含むＭＡＣ ＣＥを送信するように構成される。
【００３４】
本発明の実施例において、前記第１のスケジューリング情報は、ＤＣＩ又はＲＲＣシグナリングに搬送される。
【００３５】
本発明の実施例は、プロセッサによって実行されると、上述した時間領域リソースの決定方法を実現するコンピュータ実行可能命令を記憶したコンピュータ記憶媒体を提供する。
【００３６】
本発明の実施例に係る技術案は、端末がネットワークデバイスにより送信された第１の指示情報を受信し、前記第１の指示情報は、第１の時間領域リソース決定規則又は第２の時間領域リソース決定規則を利用して第１のスロットが第１のスケジューリング情報によってスケジューリングされる第１のチャネルの伝送に使用されるかどうかを決定するように指示し、前記端末が前記第１の指示情報に基づいて利用される時間領域リソース決定規則を決定し、利用される時間領域リソース決定規則に基づいて前記第１のチャネルを伝送するための少なくとも１つのスロットを決定し、前記端末が決定された前記少なくとも１つのスロットにおいてネットワークデバイスと前記第１のチャネルを伝送する。ここで、前記第１のスケジューリング情報が少なくとも１つのスロットにおいてＮ個のシンボルを第１の伝送方向にスケジューリングし、Ｎが正の整数である場合、前記第１の時間領域リソース決定規則として、前記第１のスロット内の前記Ｎ個のシンボルの伝送方向が全て前記第１の伝送方向に設定された場合、前記端末が前記第１のスロットが前記第１のチャネルの伝送に利用されることができると決定し、前記第２の時間領域リソース決定規則として、前記第１のスロット内の前記Ｎ個のシンボルが全て前記第１の伝送方向及び／又は柔軟な伝送方向に設定された場合、前記端末が前記第１のスロットが前記第１のチャネルの伝送に利用されることができると決定する。本発明の実施例の技術案を用いると、ネットワークデバイスの指示に応じて、柔軟な伝送方向の時間領域リソース(すなわち、柔軟なシンボルまたは未決定シンボルと呼ばれる)を使用するか、または使用しないことができ、異なる適用シーンに対してより高いカバレッジまたはより高いスケジューリング柔軟性を柔軟に実現することができ、それによって、様々な適用シーンに応じてそれぞれ最適化され、システム全体のスペクトル効率を改善する。
【図面の簡単な説明】
【００３７】
本明細書に記載された図面は、本発明の更なる理解を提供するために提供されたものであり、本願の一部を構成し、本発明の例示的な実施例及びその説明は、本発明を説明するためのものであり、本発明を限定するものではない。
【図１】本発明の実施例における時間領域リソースの決定方法のフローチャート一である。
【図２】本発明の実施例における時間領域リソースの決定方法のフローチャート二である。
【図３】本発明の実施例における第１の時間領域リソース決定規則のリソーススケジューリングの模式図である。
【図４】本発明の実施例における第２の時間領域リソース決定規則のリソーススケジューリングの模式図である。
【図５】本発明の実施例における時間領域リソースの決定装置の構成図一である。
【図６】本発明の実施例における時間領域リソースの決定装置の構成図二である。
【図７】本発明の実施例におけるコンピュータデバイスの構成図である。
【発明を実施するための形態】
【００３８】
マルチスロットのスケジューリングの伝送に柔軟なシンボル(または、未決定シンボルと呼ばれる)を用いる場合、異なる伝送方向間の干渉を避けるために、同一セルの端末または隣接セルの端末も、対応する柔軟なシンボル上で同一の伝送方向をスケジューリングしなければならず、スケジューリングの柔軟性が制限され、大量の端末のシーンで高いスペクトル効率を達成するのに不利である。
【００３９】
マルチスロットスケジューリングの伝送に柔軟なシンボル(または、未決定シンボル)を使用できないと、マルチスロットスケジューリングに適合するスロット数が大幅に減少し、マルチスロットスケジューリングを有効に使用することが困難になり、セルエッジのカバレッジ改善能力が制限される。
【００４０】
このために、本発明の実施例は、ネットワークデバイスの指示に応じて柔軟な伝送方向の時間領域リソースを使用又は不使用にすることができ、異なる応用シーンに対して柔軟で、より大きなカバレッジ又はより大きなスケジューリング柔軟性を実現することができる時間領域リソースの決定方法を提案する。
【００４１】
図１は本発明の実施例における時間領域リソースの決定方法のフローチャート一であり、図１に示すように、前記時間領域リソースの決定方法は、以下のステップを含む。
【００４２】
ステップ１０１において、端末がネットワークデバイスにより送信された第１の指示情報を受信し、前記第１の指示情報は、第１の時間領域リソース決定規則又は第２の時間領域リソース決定規則を利用して第１のスロットが第１のスケジューリング情報によってスケジューリングされる第１のチャネルの伝送に使用されるかどうかを決定するように指示する。
【００４３】
本発明の実施例において、前記端末は、携帯電話、タブレット、ラップトップ、デスクトップなど、ネットワークデバイスと通信可能な任意の機器であってよい。
【００４４】
本発明の実施例において、前記ネットワークデバイスは、基地局、例えば５ＧシステムのｇＮＢ、４ＧシステムのｅＮＢであってもよい。
【００４５】
本発明の実施例において、前記端末がネットワークデバイスにより送信された第１の指示情報を受信することは、以下の任意の方式で実現し、
１）前記端末が前記ネットワークデバイスにより送信されたＳＩを受信し、前記ＳＩが前記第１の指示情報を含む。
【００４６】
２）前記端末が前記ネットワークデバイスにより送信されたＲＲＣシグナリングを受信し、前記ＲＲＣが前記第１の指示情報を含む。
【００４７】
３）前記端末が前記ネットワークデバイスにより送信されたＤＣＩを受信し、前記ＤＣＩが前記第１の指示情報を含む。
【００４８】
４）前記端末が前記ネットワークデバイスにより送信されたＭＡＣ ＣＥを受信し、前記ＭＡＣ ＣＥが前記第１の指示情報を含む。
【００４９】
本発明の実施例において、前記第１の指示情報は、第１の時間領域リソース決定規則又は第２の時間領域リソース決定規則を利用して第１のスロットが第１のスケジューリング情報によってスケジューリングされる第１のチャネルの伝送に使用されるかどうかを決定するように指示し、
例えば、前記第１の指示情報は、１ビットで表され、このビットが１である場合、第１の時間領域リソース決定規則を用いて、第１のスケジューリング情報によりスケジューリングされた第１のチャネルの伝送に第１のスロットを使用するか否かを決定することを指示するものであり、ビットが０である場合、第２の時間領域リソース決定規則を用いて、第１のスケジューリング情報によってスケジューリングされた第１のチャネルの伝送に第１のロットを使用するか否かを指示するものである。当然ながら、ビットが１である場合、第２の時間領域リソース決定規則を用いて、第１のスケジューリング情報によってスケジューリングされた第１のチャネルの伝送のために第１のスロットが使用されるかどうかを決定することを示し、ビットが０である場合、第１の時間領域リソース決定規則を用いて、第１のスケジューリング情報によってスケジューリングされた第１のチャネルの伝送のために第１のスロットが使用されるかどうかを決定することを示すこともできる。
【００５０】
以下、前記第１の時間領域リソース決定規則と前記第２の時間領域リソース決定規則を説明する。
【００５１】
前記第１のスケジューリング情報が少なくとも１つのスロットにおいてＮ個のシンボルを第１の伝送方向にスケジューリングし、Ｎが正の整数である場合、
前記第１の時間領域リソース決定規則として、前記第１のスロット内の前記Ｎ個のシンボルの伝送方向が全て前記第１の伝送方向に設定された場合、前記端末が前記第１のスロットが前記第１のチャネルの伝送に利用されることができると決定し、
前記第２の時間領域リソース決定規則として、前記第１のスロット内の前記Ｎ個のシンボルが全て前記第１の伝送方向及び／又は柔軟な伝送方向に設定された場合、前記端末が前記第１のスロットが前記第１のチャネルの伝送に利用されることができると決定する。
【００５２】
以上の技術案において、第１のスロットは、任意のスロットである。
【００５３】
第１の時間領域リソース決定規則では、あるスロットにおけるＮ個のシンボルの伝送方向がすべて第１伝送方向(すなわち、第１スケジューリング情報によりスケジューリングされた第１チャネルの伝送方向)に設定される必要があるため、柔軟なシンボルはマルチスロットスケジューリングのリソースとしては使用されないことが分かる。
【００５４】
第２の時間領域リソース決定規則は、以下の３つのケースがあり、
ケース１として、あるスロット内のＮ個のシンボルの伝送方向が全て前記第１の伝送方向（即ち、前記第１のスケジューリング情報がスケジューリングされる第１のチャネルの伝送方向）に設定される。
【００５５】
ケース２として、あるスロット内のＮ個のシンボルの伝送方向が全て柔軟な伝送方向（即ち、前記Ｎ個のシンボルが柔軟なシンボルであり、上り又は下りスケジューリングされる）に全て設定される。
【００５６】
ケース３として、あるスロットにおけるＮ個のシンボルの伝送方向は、一部が第１の伝送方向に設定され、残りの一部が柔軟な伝送方向に設定される。
【００５７】
このように、柔軟なシンボルは、マルチスロットスケジューリングされるリソースとすることができる。
【００５８】
本発明の実施例において、前記第１の伝送方向は、上り伝送方向又は下り伝送方向である。
【００５９】
本発明の実施例において、前記第１のスケジューリング情報は、ＤＣＩ又はＲＲＣシグナリングに搬送される。
【００６０】
本発明の実施例において、前記端末は、以下の方式で、前記第１のスロット内の前記Ｎ個のシンボルの伝送方向を決定し、
前記端末が第１の構成情報を取得し、前記第１の構成情報は、前記第１のスロットを含む少なくとも１つのスロットの各シンボルに対して伝送方向の設定を行うために用いられ、前記端末が前記第１の構成情報に基づいて、前記第１のスロット内の前記Ｎ個のシンボルの伝送方向を決定する。
【００６１】
ある実施例において、前記端末が予め設定された情報に基づいて前記第１の構成情報を取得する。
【００６２】
ある実施例において、前記端末が前記ネットワークデバイスにより送信されたＳＩから前記第１の構成情報を取得する。
【００６３】
ある実施例において、前記端末が前記ネットワークデバイスにより送信されたＲＲＣシグナリングから前記第１の構成情報を取得する。
【００６４】
ある実施例において、前記端末が前記ネットワークデバイスにより送信された下り制御情報ＤＣＩから前記第１の構成情報を取得する。
【００６５】
ある実施例において、前記端末は、ＳＩ、ＲＲＣシグナリング及びＤＣＩの任意情報の組合せに基づいて、前記第１の構成情報を決定することができる。
【００６６】
ステップ１０２において、前記端末が前記第１の指示情報に基づいて利用される時間領域リソース決定規則を決定し、利用される時間領域リソース決定規則に基づいて前記第１のチャネルを伝送するための少なくとも１つのスロットを決定する。
【００６７】
ステップ１０３において、前記端末が決定された前記少なくとも１つのスロットにおいてネットワークデバイスと前記第１のチャネルを伝送する。
【００６８】
本発明の実施例において、前記端末が決定された前記少なくとも１つのスロットにおいてネットワークデバイスと前記第１のチャネルを伝送することは、以下の２つの方式を含み、
１）上り伝送の場合、前記端末は、決定された前記少なくとも１つのスロットにおいて前記ネットワークデバイスに前記第１のチャネルを送信する。
【００６９】
２）下り伝送の場合、前記端末は、決定された前記少なくとも１つのスロットにおいて前記ネットワークデバイスにより送信された前記第１のチャネルを受信する。
【００７０】
本発明の実施例の技術案は、様々な応用シーンに応じて、システム全体のスペクトル効率をそれぞれ最適化され、向上させることができる。例えば、市街地のシーンでは、セルユーザの数は多いが、セル半径が小さく、強いカバレッジ能力を必要としないため、第１の時間領域リソース決定規則を用いることができる。また、例えば、郊外シーンでは、セルユーザ数は少ないが、セル半径が大きく、強いカバー能力が必要であるため、第２の時間領域リソース決定規則が採用されてもよい。
【００７１】
図２は本発明の実施例における時間領域リソースの決定方法のフローチャート二であり、図２に示すように、前記時間領域リソースの決定方法は、以下のステップを含み、
ステップ２０１において、ネットワークデバイスが端末に第１の指示情報を送信し、前記第１の指示情報は、第１の時間領域リソース決定規則又は第２の時間領域リソース決定規則を利用して第１のスロットが第１のスケジューリング情報によってスケジューリングされる第１のチャネルの伝送に使用されるかどうかを決定するように指示する。
【００７２】
本発明の実施例において、前記端末は、携帯電話、タブレット、ラップトップ、デスクトップなど、ネットワークデバイスと通信可能な任意の機器であってよい。
【００７３】
本発明の実施例において、前記ネットワークデバイスは、基地局、例えば５ＧシステムのｇＮＢ、４ＧシステムのｅＮＢであってもよい。
【００７４】
本発明の実施例において、前記ネットワークデバイスが端末に第１の指示情報を送信することは、以下の任意の方式で実現し、
１）前記ネットワークデバイスが前記端末にＳＩを送信し、前記ＳＩが前記第１の指示情報を含む。
【００７５】
２）前記ネットワークデバイスが前記端末にＲＲＣシグナリングを送信し、前記ＲＲＣが前記第１の指示情報を含む。
【００７６】
３）前記ネットワークデバイスが前記端末にＤＣＩを送信し、前記ＤＣＩが前記第１の指示情報を含む。
【００７７】
４）前記ネットワークデバイスが前記端末にＭＡＣ ＣＥを送信し、前記ＭＡＣ ＣＥが前記第１の指示情報を含む。
【００７８】
本発明の実施例において、前記第１の指示情報は、第１の時間領域リソース決定規則又は第２の時間領域リソース決定規則を利用して第１のスロットが第１のスケジューリング情報によってスケジューリングされる第１のチャネルの伝送に使用されるかどうかを決定するように指示し、例えば、前記第１のスケジューリング情報が少なくとも１つのスロットにおいてＮ個のシンボルを第１の伝送方向にスケジューリングし、Ｎが正の整数である場合、
前記第１の時間領域リソース決定規則として、前記第１のスロット内の前記Ｎ個のシンボルの伝送方向が全て前記第１の伝送方向に設定された場合、前記端末が前記第１のスロットが前記第１のチャネルの伝送に利用されることができると決定し、
前記第２の時間領域リソース決定規則として、前記第１のスロット内の前記Ｎ個のシンボルが全て前記第１の伝送方向及び／又は柔軟な伝送方向に設定された場合、前記端末が前記第１のスロットが前記第１のチャネルの伝送に利用されることができると決定する。
【００７９】
本発明の実施例において、前記第１の伝送方向は、上り伝送方向又は下り伝送方向である。
【００８０】
本発明の実施例において、前記第１のスケジューリング情報は、ＤＣＩ又はＲＲＣシグナリングに搬送される。
【００８１】
本発明の実施例において、前記第１のスロット内の前記Ｎ個のシンボルの伝送方向を端末に知るために、前記ネットワークデバイスが前記端末に第１の構成情報を送信し、前記第１の構成情報は、前記第１のスロットを含む少なくとも１つのスロットの各シンボルに対して伝送方向の設定を行うために用いられる。
【００８２】
本発明の実施例において、前記ネットワークデバイスが前記端末に第１の構成情報を送信することは、
前記ネットワークデバイスが前記端末にＳＩを送信し、前記ＳＩが前記第１の構成情報を含むこと、及び／又は、
前記ネットワークデバイスが前記端末にＲＲＣを送信し、前記ＲＲＣが前記第１の構成情報を含むこと、及び／又は、
前記ネットワークデバイスが前記端末にＤＣＩを送信し、前記ＤＣＩが前記第１の構成情報を含むことを含む。
【００８３】
ステップ２０２において、前記ネットワークデバイスが前記第１の指示情報に対応する前記第１のスケジューリング情報によってスケジューリングされる少なくとも１つのスロットにおいて前記端末と前記第１のチャネルを伝送する。
【００８４】
本発明の実施例において、前記ネットワークデバイスが前記第１の指示情報に対応する前記第１のスケジューリング情報によってスケジューリングされる少なくとも１つのスロットにおいて前記端末と前記第１のチャネルを伝送することは、以下の２つの方式を含み、
１）上り伝送の場合、前記ネットワークデバイスは、前記第１の指示情報に対応する前記第１のスケジューリング情報によってスケジューリングされる少なくとも１つのスロットにおいて、前記端末により送信された前記第１のチャネルを受信する。
【００８５】
２）下り伝送の場合、前記ネットワークデバイスは、前記第１の指示情報に対応する前記第１のスケジューリング情報によってスケジューリングされる少なくとも１つのスロットにおいて、前記端末に前記第１のチャネルを送信する。
【００８６】
以下、具体例を挙げて本発明の実施例についてさらに詳細に説明する。
【００８７】
例１として、第１の時間領域リソース決定規則を用いて、第１のスケジューリング情報によりスケジューリングされた第１のチャネルの伝送に第１のスロットが使用されるか否かを決定する
図３を参照すると、第１のチャネルは下りチャネルである。ネットワークデバイスは、端末に対して第１のチャネルの伝送のために４つのスロットをスケジューリングし、各スロット内のシンボルの一部(図３のシンボル２〜１０ )を第１のチャネルの伝送のためにスケジューリングする。第１の時間領域リソース決定規則に基づいて、シンボル２〜１０が下りシンボルであるスロットのみが、第１のチャネルの伝送に使用され得る。図３の例では、スロット０、スロット１のシンボル２〜１０は下りのシンボルで、要求を満たし、スロット２のシンボル２〜１０は未決定のシンボルで、要求を満たさなく、スロット３のシンボル２〜１０は上りのシンボルで、要求を満たさない。したがって、スロット０、スロット１は第１チャネルの伝送に使用され、第１チャネルにスケジューリングされた後の２つのスロットは、十分な下りリソースを有するスロット、すなわちスロット５およびスロット６にのみマッピングされ得る。
【００８８】
例２として、第２の時間領域リソース決定規則を利用して、第１のスロットが第１のスケジューリング情報によってスケジューリングされる第１のチャネルの伝送に使用されるかどうかを決定する
図４を参照すると、第１のチャネルは下りチャネルである。ネットワークデバイスは、端末に対して第１のチャネルの伝送のために４つのスロットをスケジューリングし、各スロット内のシンボルの一部(図４のシンボル２〜１０ )を第１のチャネルの伝送のためにスケジューリングする。第２の時間領域リソース決定規則に基づいて、シンボル２〜１０が下りシンボルである及び/又は未決定シンボルであるスロットのみが、第１のチャネルの伝送に使用され得る。図４の例では、スロット０、スロット１のシンボル２〜１０は下りのシンボルで、スロット２のシンボル２〜１０は未決定のシンボルで、要求を満たし、スロット３のシンボル２〜１０は上りのシンボルで、要求を満たさない。したがって、スロット０、スロット１、スロット２は第１チャネルの伝送に使用され、第１チャネルにスケジューリングされた最後のスロットは、十分な下りリソースを有するスロット、すなわちスロット５にのみマッピングされる。
【００８９】
図５は本発明の実施例における時間領域リソースの決定装置の構成図一であり、本実施例の時間領域リソースの決定装置は、端末側に応用され、図５に示すように、前記時間領域リソースの決定装置は、受信ユニット５０１と、第１の決定ユニット５０２と、第２の決定ユニット５０３と、伝送ユニット５０４とを備え、
受信ユニット５０１は、ネットワークデバイスにより送信された第１の指示情報を受信するように構成され、前記第１の指示情報は、第１の時間領域リソース決定規則又は第２の時間領域リソース決定規則を利用して第１のスロットが第１のスケジューリング情報によってスケジューリングされる第１のチャネルの伝送に使用されるかどうかを決定するように指示し、
第１の決定ユニット５０２は、前記第１の指示情報に基づいて利用される時間領域リソース決定規則を決定するように構成され、
第２の決定ユニット５０３は、利用される時間領域決定規則リソースに基づいて、前記第１のチャネルを伝送するための少なくとも１つのスロットを決定するように構成され、
伝送ユニット５０４は、決定された前記少なくとも１つのスロットにおいてネットワークデバイスと前記第１のチャネルを伝送するように構成される。
【００９０】
ある実施例において、前記第１のスケジューリング情報が少なくとも１つのスロットにおいてＮ個のシンボルを第１の伝送方向にスケジューリングし、Ｎが正の整数である場合、
前記第１の時間領域リソース決定規則として、前記第１のスロット内の前記Ｎ個のシンボルの伝送方向が全て前記第１の伝送方向に設定された場合、前記端末が前記第１のスロットが前記第１のチャネルの伝送に利用されることができると決定し、
前記第２の時間領域リソース決定規則として、前記第１のスロット内の前記Ｎ個のシンボルが全て前記第１の伝送方向及び／又は柔軟な伝送方向に設定された場合、前記端末が前記第１のスロットが前記第１のチャネルの伝送に利用されることができると決定する。
【００９１】
ある実施例において、前記第１の伝送方向は、上り伝送方向又は下り伝送方向である。
【００９２】
ある実施例において、前記装置は、さらに、取得ユニット５０５と第３の決定ユニット５０６とを備え、
取得ユニット５０５は、第１の構成情報を取得するように構成され、前記第１の構成情報は、前記第１のスロットを含む少なくとも１つのスロットの各シンボルに対して伝送方向の設定を行うために用いられ、
第３の決定ユニット５０６は、前記第１の構成情報に基づいて、前記第１のスロット内の前記Ｎ個のシンボルの伝送方向を決定するように構成される。
【００９３】
ある実施例において、前記取得ユニット５０５は、予め設定された情報に基づいて前記第１の構成情報を取得し、及び／又は、前記ネットワークデバイスにより送信されたＳＩから前記第１の構成情報を取得し、及び／又は、前記ネットワークデバイスにより送信されたＲＲＣシグナリングから前記第１の構成情報を取得し、及び／又は、前記ネットワークデバイスにより送信されたＤＣＩから前記第１の構成情報を取得するように構成される。
【００９４】
ある実施例において、前記受信ユニット５０１は、前記ネットワークデバイスにより送信された前記第１の指示情報を含むＳＩを受信し、又は、前記ネットワークデバイスにより送信された前記第１の指示情報を含むＲＲＣシグナリングを受信し、又は、前記ネットワークデバイスにより送信された前記第１の指示情報を含むＤＣＩを受信し、又は、前記ネットワークデバイスにより送信された前記第１の指示情報を含むＭＡＣ ＣＥを受信するように構成される。
【００９５】
ある実施例において、前記第１のスケジューリング情報は、ＤＣＩ又はＲＲＣシグナリングに搬送される。
【００９６】
図５に示された時間領域リソースの決定装置における各ユニットの実現機能は、前述の時間領域リソースの決定方法に関する説明を参照することによって理解されるであろう。図５に示す時間領域リソースの決定装置における各ユニットの機能は、プロセッサ上で動作するプログラムによって実現されてもよいし、具体的な論理回路によって実現されてもよい。
【００９７】
図６は本発明の実施例における時間領域リソースの決定装置の構成図二であり、この実施例の時間領域リソースの決定装置は、ネットワークデバイス側に応用され、図６に示すように、前記時間領域リソースの決定装置は、第１の送信ユニット６０１と、伝送ユニット６０２とを備え、
第１の送信ユニット６０１は、端末に第１の指示情報を送信するように構成され、前記第１の指示情報は、第１の時間領域リソース決定規則又は第２の時間領域リソース決定規則を利用して第１のスロットが第１のスケジューリング情報によってスケジューリングされる第１のチャネルの伝送に使用されるかどうかを決定するように指示し、
伝送ユニット６０２は、前記第１の指示情報に対応する前記第１のスケジューリング情報によってスケジューリングされる少なくとも１つのスロットにおいて前記端末と前記第１のチャネルを伝送するように構成される。
【００９８】
ある実施例において、前記第１のスケジューリング情報が少なくとも１つのスロットにおいてＮ個のシンボルを第１の伝送方向にスケジューリングし、Ｎが正の整数である場合、
前記第１の時間領域リソース決定規則として、前記第１のスロット内の前記Ｎ個のシンボルの伝送方向が全て前記第１の伝送方向に設定された場合、前記端末が前記第１のスロットが前記第１のチャネルの伝送に利用されることができると決定し、
前記第２の時間領域リソース決定規則として、前記第１のスロット内の前記Ｎ個のシンボルが全て前記第１の伝送方向及び／又は柔軟な伝送方向に設定された場合、前記端末が前記第１のスロットが前記第１のチャネルの伝送に利用されることができると決定する。
【００９９】
ある実施例において、前記第１の伝送方向は、上り伝送方向又は下り伝送方向である。
【０１００】
ある実施例において、前記装置は、さらに、第２の送信ユニット６０３を含み、
第２の送信ユニット６０３は、前記端末に第１の構成情報を送信するように構成され、前記第１の構成情報は、前記第１のスロットを含む少なくとも１つのスロットの各シンボルに対して伝送方向の設定を行うために用いられる。
【０１０１】
ある実施例において、前記第２の送信ユニット６０３は、前記端末に前記第１の構成情報を含むＳＩを送信し、及び／又は、前記端末に前記第１の構成情報を含むＲＲＣを送信し、及び／又は、前記端末に前記第１の構成情報を含むＤＣＩを送信するように構成される。
【０１０２】
ある実施例において、前記第１の送信ユニット６０１は、前記端末に前記第１の指示情報を含むＳＩを送信し、又は、前記端末に前記第１の指示情報を含むＲＲＣシグナリングを送信し、又は、前記端末に前記第１の指示情報を含むＤＣＩを送信し、又は、前記端末に前記第１の指示情報を含むＭＡＣ ＣＥを送信するように構成される。
【０１０３】
ある実施例において、前記第１のスケジューリング情報は、ＤＣＩ又はＲＲＣシグナリングに搬送される。
【０１０４】
図６に示された時間領域リソースの決定装置における各ユニットの実現機能は、前述の時間領域リソースの決定方法に関する説明を参照することによって理解されるであろう。図６に示す時間領域リソースの決定装置における各ユニットの機能は、プロセッサ上で動作するプログラムによって実現されてもよいし、具体的な論理回路によって実現されてもよい。
【０１０５】
本発明の実施例に係る時間領域リソースの決定装置は、ソフトウェア機能モジュールの形態で具現され、独立した製品として販売または使用される場合、一つのコンピュータ読み取り可能な記録媒体に格納されてもよい。このような理解に基づいて、本発明の実施例の技術的解決策の本質または従来技術に寄与する部分は、本発明の様々な実施例による方法の全てまたは一部を１つのコンピュータデバイス(パーソナルコンピュータ、サーバ、またはネットワークデバイスなどであり得る)に実行させるための複数の命令を含む１つの記憶媒体に記憶されたソフトウェア製品の形態で具現化され得る。また、前記記憶媒体としては、U字ディスク、リムーバブルハードディスク、リードオンリーメモリ( ＲＯＭ、Ｒｅａｄ Ｏｎｌｙ Ｍｅｍｏｒｙ )、磁気ディスク、光ディスク等のプログラムコードを記憶できる種々の媒体を用いることができる。このように、本発明の実施例は、ハードウェアとソフトウェアのいかなる組み合わせにも限定されない。
【０１０６】
従って、本発明の実施例は、プロセッサによって実行されたときに本発明の実施例に係る上記時間領域リソースの決定方法を実現するコンピュータ実行可能命令を記憶したコンピュータ記憶媒体をさらに提供する。
【０１０７】
図７は、本発明の実施例に係るコンピュータデバイスの構成を示す図であり、このコンピュータ装置は端末であってもネットワークデバイスであってもよい。図７に示すように、コンピュータデバイス１００は、１つ又は複数の(図面には１つのみが示される)プロセッサ１００２ (プロセッサ１００２は、マイクロプロセッサ( ＭＣＵ、Ｍｉｃｒｏ Ｃｏｎｔｒｏｌｌｅｒ Ｕｎｉｔ )又はプログラマブルロジックデバイス( ＦＰＧＡ、Ｆｉｅｌｄ Ｐｒｏｇｒａｍｍａｂｌｅ Ｇａｔｅ Ａｒｒａｙ )などの処理装置を含み得るが、これらに限定されない)、データを記憶するためのメモリ１００４、及び通信機能のための伝送装置１００６を含むことができる。図７に示す構成は、例示であり、上述した電子装置の構成に限定されないことは、当業者に理解されるところである。例えば、コンピュータデバイス１００は、図７に示されるよりも多いか少ない構成要素をさらに含んでもよく、又は図７に示されるものとは異なる構成を有してもよい。
【０１０８】
メモリ１００４は、本発明の実施例における方法に対応するプログラム命令/モジュールのような、アプリケーションのソフトウェアプログラム及びモジュールを格納するために使用されてもよく、プロセッサ１００２は、メモリ１００４に格納されたソフトウェアプログラム及びモジュールを実行することによって、様々な機能アプリケーション及びデータ処理を実行し、すなわち、上記の方法を実現する。メモリ１００４は、高速ランダムアクセスメモリを含んでもよく、１つ以上の磁気記憶デバイス、フラッシュメモリ、または他の不揮発性ソリッドステートメモリなどの不揮発性メモリを含んでもよい。いくつかの例では、メモリ１００４は、プロセッサ１００２に対してリモートに配置されたメモリをさらに含んでもよく、メモリは、ネットワークを介してコンピュータデバイス１００に接続されてもよい。上記ネットワークの例としては、インターネット、イントラネット、ローカルエリアネットワーク、移動体通信ネットワーク、及びこれらの組み合わせが挙げられるが、これらに限定されない。
【０１０９】
伝送装置１００６は、ネットワークを介してデータを送受信するための装置である。上記のネットワークの具体例は、コンピュータデバイス１００の通信プロバイダが提供する無線ネットワークを含んでもよい。一例において、伝送装置１００６は、インターネットと通信可能に基地局を介して他のネットワークデバイスに接続可能なネットワークアダプタ( ＮＩＣ、Ｎｅｔｗｏｒｋ Ｉｎｔｅｒｆａｃｅ Ｃｏｎｔｒｏｌｌｅｒ )を含む。一例では、伝送装置１００６は、無線方式でインターネットと通信するための無線周波数( ＲＦ、Ｒａｄｉｏ Ｆｒｅｑｕｅｎｃｙ )モジュールであり得る。
【０１１０】
本発明の実施例に記載した技術的手段は、矛盾なき限り、任意に組み合わせることができる。
【０１１１】
本発明によって提供されるいくつかの実施例において、開示される方法およびスマートデバイスは、他の方法で実現されてもよいことが理解されるべきである。なお、以上の装置の実施例はあくまでも一例であり、例えば、装置の分割、論理的機能の分割などは、実際の実施に際しては、これら複数の装置や構成要素を組み合わせたり、他のシステムに統合したり、あるいは、一部の構成要素を省略したり、省略したりすることが可能である。さらに、図示又は説明された構成要素は、電気的、機械的、又は他の形態の、いくつかのインターフェース、装置又はユニットを介した、互いに、又は直接的に、又は通信的に、間接的な結合又は通信的な接続を有し得る。
【０１１２】
上記分離手段として説明したユニットは、物理的に分離していても、あるいは分離していなくてもよく、ユニットとして表示されるユニットは、物理的ユニットであっても、あるいは物理的ユニットでなくてもよく、すなわち一箇所にあっても、複数のネットワークユニットに分散していてもよく、また、本実施例の目的を達成する手段の一部又は全部を、必要に応じて選択することができる。
【０１１３】
また、本発明の各実施例における各機能部は、全てが１つの第２の処理ユニットに集積されてもよいし、各部がそれぞれ単独で１つのユニットとして構成されてもよいし、２つ以上のユニットが１つのユニットに集積されてもよく、上記の統合されたユニットは、ハードウェアの形態で実現されてもよいし、ハードウェア及びソフトウェア機能ユニットの形態で実現されてもよい。
【０１１４】
以上、本発明の具体的な実施例について説明したが、本発明の技術的範囲はこれに限定されるものではなく、本発明が属する技術分野で通常の知識を有する者であれば、本発明の技術的範囲内で容易に変更や置換をなし得ることは自明である。
【図１】
2021515998.tif 000003
【図２】
2021515998.tif 000004
【図３】
2021515998.tif 000005
【図４】
2021515998.tif 000006
【図５】
2021515998.tif 000007
【図６】
2021515998.tif 000008
【図７】
2021515998.tif 000009
【手続補正書】
【提出日】令和2年12月22日(2020.12.22)
【手続補正１】
【補正対象書類名】特許請求の範囲
【補正対象項目名】全文
【補正方法】変更
【補正の内容】
【特許請求の範囲】
【請求項１】
端末がネットワークデバイスにより送信された第１の指示情報を受信することと、
前記端末が前記第１の指示情報に基づいて利用される時間領域リソース決定規則を決定し、利用される時間領域リソース決定規則に基づいて第１のチャネルを伝送するための少なくとも１つのスロットを決定することと、
前記端末が決定された前記少なくとも１つのスロットにおいてネットワークデバイスと前記第１のチャネルを伝送することとを含み、
前記第１の指示情報は、第１の時間領域リソース決定規則又は第２の時間領域リソース決定規則を利用して第１のスロットが第１のスケジューリング情報によってスケジューリングされる前記第１のチャネルの伝送に使用されるかどうかを決定するように指示する
ことを特徴とする時間領域リソースの決定方法。
【請求項２】
前記第１のスケジューリング情報が少なくとも１つのスロットにおいてＮ個のシンボルを第１の伝送方向にスケジューリングし、Ｎが正の整数である場合、
前記第１の時間領域リソース決定規則として、前記第１のスロット内の前記Ｎ個のシンボルの伝送方向が全て前記第１の伝送方向に設定された場合、前記端末が前記第１のスロットが前記第１のチャネルの伝送に利用されることができると決定し、
前記第２の時間領域リソース決定規則として、前記第１のスロット内の前記Ｎ個のシンボルが全て前記第１の伝送方向及び／又は柔軟な伝送方向に設定された場合、前記端末が  前記第１のスロットが前記第１のチャネルの伝送に利用されることができると決定する
ことを特徴とする請求項１に記載の時間領域リソースの決定方法。
【請求項３】
前記方法は、さらに、
前記端末が第１の構成情報を取得することと、
前記端末が前記第１の構成情報に基づいて、前記第１のスロット内の前記Ｎ個のシンボルの伝送方向を決定することとを含み、
前記第１の構成情報は、前記第１のスロットを含む少なくとも１つのスロットの各シンボルに対して伝送方向の設定を行うために用いられる
ことを特徴とする請求項２に記載の時間領域リソースの決定方法。
【請求項４】
前記端末が第１の構成情報を取得することは、
前記端末が予め設定された情報に基づいて前記第１の構成情報を取得すること、及び／又は、
前記端末が前記ネットワークデバイスにより送信されたシステム情報ＳＩから前記第１の構成情報を取得すること、及び／又は、
前記端末が前記ネットワークデバイスにより送信された無線リソース制御ＲＲＣシグナリングから前記第１の構成情報を取得すること、及び／又は、
前記端末が前記ネットワークデバイスにより送信された下り制御情報ＤＣＩから前記第１の構成情報を取得することを含む
ことを特徴とする請求項３に記載の時間領域リソースの決定方法。
【請求項５】
ネットワークデバイスが端末に第１の指示情報を送信することと、
前記ネットワークデバイスが前記第１の指示情報に対応する第１のスケジューリング情報によってスケジューリングされる少なくとも１つのスロットにおいて前記端末と第１のチャネルを伝送することとを含み、
前記第１の指示情報は、第１の時間領域リソース決定規則又は第２の時間領域リソース決定規則を利用して第１のスロットが前記第１のスケジューリング情報によってスケジューリングされる前記第１のチャネルの伝送に使用されるかどうかを決定する
ことを特徴とする時間領域リソースの決定方法。
【請求項６】
前記第１のスケジューリング情報が少なくとも１つのスロットにおいてＮ個のシンボルを第１の伝送方向にスケジューリングし、Ｎが正の整数である場合、
前記第１の時間領域リソース決定規則として、前記第１のスロット内の前記Ｎ個のシンボルの伝送方向が全て前記第１の伝送方向に設定された場合、前記端末が前記第１のスロットが前記第１のチャネルの伝送に利用されることができると決定し、
前記第２の時間領域リソース決定規則として、前記第１のスロット内の前記Ｎ個のシンボルが全て前記第１の伝送方向及び／又は柔軟な伝送方向に設定された場合、前記端末が前記第１のスロットが前記第１のチャネルの伝送に利用されることができると決定する
ことを特徴とする請求項５に記載の時間領域リソースの決定方法。
【請求項７】
前記方法は、さらに、
前記ネットワークデバイスが前記端末に第１の構成情報を送信することを含み、前記第１の構成情報は、前記第１のスロットを含む少なくとも１つのスロットの各シンボルに対して伝送方向の設定を行うために用いられる
ことを特徴とする請求項６に記載の時間領域リソースの決定方法。
【請求項８】
前記ネットワークデバイスが前記端末に第１の構成情報を送信することは、
前記ネットワークデバイスが前記端末にＳＩを送信し、前記ＳＩが前記第１の構成情報を含むこと、及び／又は、
前記ネットワークデバイスが前記端末にＲＲＣを送信し、前記ＲＲＣが前記第１の構成情報を含むこと、及び／又は、
前記ネットワークデバイスが前記端末にＤＣＩを送信し、前記ＤＣＩが前記第１の構成情報を含むことを含む
ことを特徴とする請求項７に記載の時間領域リソースの決定方法。
【請求項９】
受信ユニットと、第１の決定ユニットと、第２の決定ユニットと、伝送ユニットと、を備える時間領域リソースの決定装置であって、
前記受信ユニットは、ネットワークデバイスにより送信された第１の指示情報を受信するように構成され、前記第１の指示情報は、第１の時間領域リソース決定規則又は第２の時間領域リソース決定規則を利用して第１のスロットが第１のスケジューリング情報によってスケジューリングされる第１のチャネルの伝送に使用されるかどうかを決定するように指示し、
前記第１の決定ユニットは、前記第１の指示情報に基づいて利用される時間領域リソース決定規則を決定するように構成され、
前記第２の決定ユニットは、利用される時間領域決定規則リソースに基づいて、前記第１のチャネルを伝送するための少なくとも１つのスロットを決定するように構成され、
前記伝送ユニットは、決定された前記少なくとも１つのスロットにおいてネットワークデバイスと前記第１のチャネルを伝送するように構成される
ことを特徴とする時間領域リソースの決定装置。
【請求項１０】
前記第１のスケジューリング情報が少なくとも１つのスロットにおいてＮ個のシンボルを第１の伝送方向にスケジューリングし、Ｎが正の整数である場合、
前記第１の時間領域リソース決定規則として、前記第１のスロット内の前記Ｎ個のシンボルの伝送方向が全て前記第１の伝送方向に設定された場合、前記端末が前記第１のスロットが前記第１のチャネルの伝送に利用されることができると決定し、
前記第２の時間領域リソース決定規則として、前記第１のスロット内の前記Ｎ個のシンボルが全て前記第１の伝送方向及び／又は柔軟な伝送方向に設定された場合、前記端末が前記第１のスロットが前記第１のチャネルの伝送に利用されることができると決定する
ことを特徴とする請求項９に記載の時間領域リソースの決定装置。
【請求項１１】
前記装置は、さらに、取得ユニット及び第３の決定ユニットを含み、
前記取得ユニットは、第１の構成情報を取得するように構成され、前記第１の構成情報は、前記第１のスロットを含む少なくとも１つのスロットの各シンボルに対して伝送方向の設定を行うために用いられ、
前記第３の決定ユニットは、前記第１の構成情報に基づいて、前記第１のスロット内の前記Ｎ個のシンボルの伝送方向を決定するように構成される
ことを特徴とする請求項１０に記載の時間領域リソースの決定装置。
【請求項１２】
前記取得ユニットは、予め設定された情報に基づいて前記第１の構成情報を取得し、及び／又は、前記ネットワークデバイスにより送信されたＳＩから前記第１の構成情報を取得し、及び／又は、前記ネットワークデバイスにより送信されたＲＲＣシグナリングから前記第１の構成情報を取得し、及び／又は、前記ネットワークデバイスにより送信されたＤＣＩから前記第１の構成情報を取得するように構成される
ことを特徴とする請求項１１に記載の時間領域リソースの決定装置。
【請求項１３】
前記受信ユニットは、前記ネットワークデバイスにより送信された前記第１の指示情報を含むＳＩを受信し、又は、前記ネットワークデバイスにより送信された前記第１の指示情報を含むＲＲＣシグナリングを受信し、又は、前記ネットワークデバイスにより送信された前記第１の指示情報を含むＤＣＩを受信し、又は、前記ネットワークデバイスにより送信された前記第１の指示情報を含むＭＡＣ ＣＥを受信するように構成される
ことを特徴とする請求項９〜１２のいずれか１項に記載の時間領域リソースの決定装置。
【請求項１４】
前記第１のスケジューリング情報は、ＤＣＩ又はＲＲＣシグナリングに搬送される
ことを特徴とする請求項９〜１２のいずれか１項に記載の時間領域リソースの決定装置。
【請求項１５】
第１の送信ユニットと、伝送ユニットとを備える時間領域リソースの決定装置であって、
前記第１の送信ユニットは、端末に第１の指示情報を送信するように構成され、前記第１の指示情報は、第１の時間領域リソース決定規則又は第２の時間領域リソース決定規則を利用して第１のスロットが第１のスケジューリング情報によってスケジューリングされる第１のチャネルの伝送に使用されるかどうかを決定するように指示し、
前記伝送ユニットは、前記第１の指示情報に対応する前記第１のスケジューリング情報によってスケジューリングされる少なくとも１つのスロットにおいて前記端末と前記第１のチャネルを伝送するように構成さる
ことを特徴とする時間領域リソースの決定装置。
【国際調査報告】
2021515998.tif 000010
2021515998.tif 000011
2021515998.tif 000012
2021515998.tif 000013